(57)【特許請求の範囲】
【請求項１】
移動局から送信された下りリンクの受信品質情報に基づいて、サブフレーム長以上の所定の期間を単位とする第１のＴＴＩによりデータを送信するか、前記第１のＴＴＩよりも短い期間を単位とする第２のＴＴＩによりデータを送信するかを判断するＴＴＩ長判断手段；
前記決定されたＴＴＩを構成するサブフレーム数を決定するサブフレーム数決定手段；
前記決定されたＴＴＩと、該ＴＴＩを構成するサブフレーム数を移動局に通知する通知手段；
前記決定されたＴＴＩと、該ＴＴＩを構成するサブフレーム数に基づいて、スケジューリングを行うスケジューラ；
を備えることを特徴とする基地局装置。
【請求項２】
請求項１に記載の基地局装置において：
ＴＴＩ長判断手段は、前記受信品質が所定の閾値以上である場合に前記第１のＴＴＩによりデータを送信すると判断し、前記受信品質が所定の閾値未満である場合に前記第２のＴＴＩによりデータ送信すると判断することを特徴とする基地局装置。
【請求項３】
請求項１または２に記載の基地局装置において：
前記サブフレーム数決定手段は、前記ＴＴＩ長判断手段において、前記第１のＴＴＩによりデータを送信すると判断された場合、送信データに要求されるＱｏＳに基づいて、前記決定されたＴＴＩを構成するサブフレーム数を決定し、
前記第２のＴＴＩによりデータを送信すると判断された場合、前記受信品質情報に基づいて、前記決定されたＴＴＩを構成するサブフレーム数を決定することを特徴とする基地局装置。
【請求項４】
請求項１ないし３のいずれか１項に記載の基地局装置において：
前記通知手段は、ＲＲＣ（Ｒａｄｉｏ  Ｒｅｓｏｕｒｃｅ  Ｃｏｎｔｒｏｌ）により通知することを特徴とする基地局装置。
【請求項５】
請求項１ないし３のいずれか１項に記載の基地局において：
前記通知手段は、ＭＡＣ  ｃｏｎｔｒｏｌ  ＰＤＵにより通知することを特徴とする基地局。
【請求項６】
基地局において、移動局から送信された下りリンクの受信品質情報に基づいて、サブフレーム長以上の所定の期間を単位とする第１のＴＴＩによりデータを送信するか、前記第１のＴＴＩよりも短い期間を単位とする第２のＴＴＩによりデータを送信するかが判断され、前記決定されたＴＴＩを構成するサブフレーム数が決定され、前記決定されたＴＴＩと、該ＴＴＩを構成するサブフレーム数が移動局に通知され、
前記通知されたＴＴＩと、該ＴＴＩを構成するサブフレーム数を受信する受信手段；
通知されたＴＴＩと、該ＴＴＩを構成するサブフレーム数に基づいて、基地局から送信された共有データチャネルを復号する復号手段；
を備えることを特徴とする移動局装置。
【請求項７】
基地局装置が、移動局から送信された下りリンクの受信品質情報に基づいて、サブフレーム長以上の所定の期間を単位とする第１のＴＴＩによりデータを送信するか、前記第１のＴＴＩよりも短い期間を単位とする第２のＴＴＩによりデータを送信するかを判断するＴＴＩ長判断ステップ；
基地局装置が、前記決定されたＴＴＩを構成するサブフレーム数を決定するサブフレーム数決定ステップ；
基地局装置が、前記決定されたＴＴＩと、該ＴＴＩを構成するサブフレーム数を移動局に通知する通知ステップ；
基地局装置が、前記決定されたＴＴＩと、該ＴＴＩを構成するサブフレーム数に基づいて、スケジューリングを行うスケジューリングステップ；
移動局装置が、前記通知されたＴＴＩと、該ＴＴＩを構成するサブフレーム数を受信する受信ステップ；
移動局装置が、通知されたＴＴＩと、該ＴＴＩを構成するサブフレーム数に基づいて、基地局から送信された共有データチャネルを復号する復号ステップ；
を有することを特徴とする通信方法。
【発明の詳細な説明】
【技術分野】
【０００１】
本発明は、基地局、移動局および通信方法に関する。
【背景技術】
【０００２】
ＨＳＤＰＡ（Ｈｉｇｈ  Ｓｐｅｅｄ  Ｄｏｗｎｌｉｎｋ  Ｐａｃｋｅｔ  Ａｃｃｅｓｓ）では、データトラヒックを運ぶＨＳ−ＰＤＳＣＨは、３スロット（２ｍｓｅｃ）を単位として、固定的に決められている（例えば、非特許文献１および２参照）。ＨＳＤＰＡでは、３スロットを単位として、レイヤ２からレイヤ１にデータが転送される。
【０００３】
ＨＳＤＰＡにおける送信機会の割当てについて説明する。
【０００４】
各ＵＥは、ＨＳ−ＳＣＣＨの受信を行い、自ＵＥ宛の送信機会割当の場合、後続するＨＳ−ＰＤＳＣＨを受信し、ＨＳ−ＤＳＣＨを復号する。ＨＳＤＰＡでは、各ＵＥがＨＳ−ＳＣＣＨの受信に失敗した場合、基地局はＨＳ−ＤＳＣＨに対する受信確認応答を送信できないため、ＤＴＸを検出しＨＳ−ＤＳＣＨの再送を行う。
【０００５】
一方、ｅｖｏｌｖｅｄ  ＵＴＲＡの標準化においては、可変長ＴＴＩ（Ｔｒａｎｓｍｉｓｓｉｏｎ  Ｔｉｍｅ  Ｉｎｔｅｒｖａｌ）をサポートすることが提案されている（例えば、非特許文献３、４および５参照）。
【非特許文献１】ＴＳ２５．２１１  Ｓｅｃｔｉｏｎ  ７．８
【非特許文献２】ＴＳ２５．２１４  Ｓｅｃｔｉｏｎ  ６Ａ．１．１
【非特許文献３】Ｍｏｔｏｒｏｌａ，  Ｒ２−０６０１２２，  “Ｌａｙｅｒ  １  Ｄａｔａ  Ｔｒａｎｓｆｅｒ：  Ｆｏｒｍａｔｓ  ａｎｄ  Ｄｅｆｉｎｉｔｉｏｎｓ”，  ３ＧＰＰ  ＴＳＧ  ＲＡＮ  ＷＧ２  ＃５０  Ｓｏｐｈｉａ  Ａｎｔｉｐｏｌｉｓ，  Ｆｒａｎｃｅ．  ９−１３  Ｊａｎｕａｒｙ  ２００６
【非特許文献４】Ｅｒｉｃｓｓｏｎ，  Ｒ２−０６０８６８，  “Ｉｎｃｒｅａｓｅｄ  ＴＴＩ  Ｌｅｎｇｔｈ”，  ３ＧＰＰ  ＴＳＧ−ＲＡＮ  Ｊｏｉｎｔ  ＷＧ１／ＷＧ２  Ａｔｈｅｎｓ，  Ｇｒｅｅｃｅ，  ２７−３１  Ｍａｒｃｈ  ２００６
【非特許文献５】Ｍｏｔｏｒｏｌａ，  Ｒ２−０６０９４４，  “ＨＡＲＱ  Ｃｏｎｓｉｄｅｒａｔｉｏｎｓ”，  ３ＧＰＰ  ＴＳＧ  ＲＡＮ  ＷＧ２  ＃５２  Ａｔｈｅｎｓ，  Ｇｒｅｅｃｅ，  ２７−３１  Ｍａｒｃｈ  ２００６
【発明の開示】
【発明が解決しようとする課題】
【０００６】
可変長ＴＴＩの目的の１つは、Ｌ１／Ｌ２制御チャネルのオーバヘッド削減である。Ｌ１／Ｌ２制御チャネルのオーバヘッド削減の観点からは、サブフレーム長に比べ比較的長い期間を単位として、ＴＴＩを設定することが望ましい。
【０００７】
また、可変長ＴＴＩの他の目的は、ＴＴＩ中にＬ１／Ｌ２制御チャネルを繰り返し送信することにより、Ｌ１／Ｌ２制御チャネルのカバレッジを広げることが挙げられる。この場合は、例えば２−４サブフレームをＴＴＩ長として設定することが好適である。
【０００８】
ｅｖｏｌｖｅｄ  ＵＴＲＡの標準化においては、送信帯域として最大２０ＭＨｚ程度割り当てることが想定されており、送信帯域として５ＭＨｚ程度のＨＳＤＰＡと比較した場合、同じＴＴＩでも、送信データ量は４倍程度異なる。したがって、Ｌ１／Ｌ２制御チャネルを受信できない場合の損失は大きくなる。
【０００９】
このようにＴＴＩ長を制御することは共通であるが、好適なＴＴＩ長は目的によって異なる。
【００１０】
そこで本発明は、上記問題のうち少なくとも１つを解決するためになされたものであり、移動局の通信環境に応じてＴＴＩ長を制御することができる基地局、移動局および通信方法を提供することを目的とする。
【課題を解決するための手段】
【００１１】
上記課題を解決するため、本発明の基地局装置は、
移動局から送信された下りリンクの受信品質情報に基づいて、サブフレーム長以上の所定の期間を単位とする第１のＴＴＩによりデータを送信するか、前記第１のＴＴＩよりも短い期間を単位とする第２のＴＴＩによりデータを送信するかを判断するＴＴＩ長判断手段；
前記決定されたＴＴＩを構成するサブフレーム数を決定するサブフレーム数決定手段；
前記決定されたＴＴＩと、該ＴＴＩを構成するサブフレーム数を移動局に通知する通知手段；
前記決定されたＴＴＩと、該ＴＴＩを構成するサブフレーム数に基づいて、スケジューリングを行うスケジューラ；
を備えることを特徴の１つとする。
【００１２】
このように構成することにより、移動局の通信環境に応じて、Ｌ１／Ｌ２制御チャネルのオーバヘッドの削減を目的とするサブフレーム長に比べ比較的長い期間を単位として設定されるＴＴＩと、Ｌ１／Ｌ２制御チャネルのカバレッジを広げることを目的とする２−４サブフレームを単位として設定されるＴＴＩとを使い分けることができる。
【００１３】
本発明の移動局装置は、
基地局において、移動局から送信された下りリンクの受信品質情報に基づいて、サブフレーム長以上の所定の期間を単位とする第１のＴＴＩによりデータを送信するか、前記第１のＴＴＩよりも短い期間を単位とする第２のＴＴＩによりデータを送信するかが判断され、前記決定されたＴＴＩを構成するサブフレーム数が決定され、前記決定されたＴＴＩと、該ＴＴＩを構成するサブフレーム数が移動局に通知され、
前記通知されたＴＴＩと、該ＴＴＩを構成するサブフレーム数を受信する受信手段；
通知されたＴＴＩと、該ＴＴＩを構成するサブフレーム数に基づいて、基地局から送信された共有データチャネルを復号する復号手段；
を備えることを特徴の１つとする。
【００１４】
このようにすることにより、通信環境に応じて決定されたＴＴＩにより送信されたデータを復調できる。
【００１５】
本発明の通信方法は、
基地局装置が、移動局から送信された下りリンクの受信品質情報に基づいて、サブフレーム長以上の所定の期間を単位とする第１のＴＴＩによりデータを送信するか、前記第１のＴＴＩよりも短い期間を単位とする第２のＴＴＩによりデータを送信するかを判断するＴＴＩ長判断ステップ；
基地局装置が、前記決定されたＴＴＩを構成するサブフレーム数を決定するサブフレーム数決定ステップ；
基地局装置が、前記決定されたＴＴＩと、該ＴＴＩを構成するサブフレーム数を移動局に通知する通知ステップ；
基地局装置が、前記決定されたＴＴＩと、該ＴＴＩを構成するサブフレーム数に基づいて、スケジューリングを行うスケジューリングステップ；
移動局装置が、前記通知されたＴＴＩと、該ＴＴＩを構成するサブフレーム数を受信する受信ステップ；
移動局装置が、通知されたＴＴＩと、該ＴＴＩを構成するサブフレーム数に基づいて、基地局から送信された共有データチャネルを復号する復号ステップ；
を有することを特徴の１つとする。
【００１６】
このようにすることにより、基地局は、移動局の通信環境に応じて、Ｌ１／Ｌ２制御チャネルのオーバヘッドの削減を目的とするサブフレーム長に比べ比較的長い期間を単位として設定されるＴＴＩと、Ｌ１／Ｌ２制御チャネルのカバレッジを広げることを目的とする２−４サブフレームを単位として設定されるＴＴＩとを使い分けることができ、移動局は、通信環境に応じて決定されたＴＴＩにより送信されたデータを復調できる。
【発明の効果】
【００１７】
本発明の実施例によれば、移動局の通信環境に応じてＴＴＩ長を制御することができる基地局、移動局および通信方法を実現できる。
【発明を実施するための最良の形態】
【００１８】
次に、本発明の実施例について図面を参照して説明する。
なお、実施例を説明するための全図において、同一機能を有するものは同一符号を用い、繰り返しの説明は省略する。
【００１９】
本発明の実施例にかかる無線通信システムについて説明する。
【００２０】
本実施例にかかる無線通信システムは、基地局１００と移動局２００とを備える。
【００２１】
本実施例にかかる無線通信システムでは、目的応じて複数種類のＴＴＩ長のセットを予め用意し、移動局２００の通信環境に応じて使い分ける。すなわち、図１に示すように、Ｌ１／Ｌ２制御チャネルのオーバヘッドの削減を目的とするサブフレーム長に比べ比較的長い期間を単位として設定されるＴＴＩ（以下、オーバヘッドの削減を目的とするＴＴＩと呼ぶ）と、図２に示すように、Ｌ１／Ｌ２制御チャネルのカバレッジを広げることを目的とする２−４サブフレームを単位として設定されるＴＴＩ（以下、カバレッジを広げることを目的とするＴＴＩと呼ぶ）とを使い分ける。
【００２２】
図１には、一例として、５サブフレームにより１ＴＴＩが構成されるオーバヘッドの削減を目的とするＴＴＩを示し、図２には、４サブフレームにより１ＴＴＩが構成されるカバレッジを広げることを目的とするＴＴＩを示す。
【００２３】
本実施例にかかる基地局１００について、図３を参照して説明する。
【００２４】
基地局１００は、図３に示すように、受信部１０２と、ＴＴＩ長制御部１０４と、ＲＲＣ制御部１０６と、ＭＡＣ制御部１０８と、データバッファ１１０と、スケジューラ１１２と、共有チャネル生成部１１４と、送信部１１６とを備える。ＴＴＩ長制御部１０４は、ＴＴＩ長セット判断部１０４１と、サブフレーム数決定部１０４２とを備える。
【００２５】
受信部１０２は、移動局２００から送信された下りリンクの受信品質情報、例えば受信ＳＩＲを受信し、ＴＴＩ長制御部１０４に入力する。また、受信部１０２は、移動局２００から送信されたＣＱＩを受信し、ＴＴＩ長制御部１０４に入力するようにしてもよいし、移動局２００から送信されたＬ１／Ｌ２制御チャネルの誤り数や誤り率を受信し、ＴＴＩ長制御部１０４に入力するようにしてもよい。
【００２６】
ＣＱＩとは、無線チャネルの品質を示す情報である。例えば、基地局１００がパイロット信号を送信し、移動局２００はそのパイロット信号を受信し、該パイロット信号の受信ＳＩＲを測定する。この場合、移動局２００は測定した受信ＳＩＲを３２値に量子化し、その量子化した値を基地局１００に送信する。
【００２７】
ＴＴＩ長制御部１０４は、入力された受信品質情報またはＬ１／Ｌ２制御チャネルの誤り数や誤り率に基づいて、移動局２００に送信するデータのＴＴＩ長を決定する。例えば、ＴＴＩ長制御部１０４には、ＴＴＩ長のセットが予め設定される。
【００２８】
ＴＴＩ長のセットには、図４に示すように、オーバヘッドの削減を目的とするＴＴＩを構成するサブフレーム数と（ＴＴＩ長セット１）、カバレッジを広げることを目的とするＴＴＩを構成するサブフレーム数（ＴＴＩ長セット２）が設定される。図４においては、オーバヘッドの削減を目的とするＴＴＩを構成するサブフレーム数として５、１０、２０が設定され、カバレッジを広げることを目的とするＴＴＩを構成するサブフレーム数として１、２、３、４が設定される。
【００２９】
本実施例においては２種類のＴＴＩのセットが予め設定される場合について説明するが、２種類以上でも適用できる。また、ＴＴＩを構成するサブフレーム数は一例であり、これ以外のサブフレーム数でも適用できる。
【００３０】
ＴＴＩ長セット判断部１０４１は、入力された受信品質情報に基づいて、自局がカバーするエリアにおいて、この受信品質情報またはＬ１／Ｌ２制御チャネルの誤り数や誤り率を送信した移動局が、Ｌ１／Ｌ２制御チャネルを所要の品質で受信できる場所に位置しているか否かを判断する。例えば、ＴＴＩ長セット判断部１０４１は、所定の閾値に基づいて、移動局が、Ｌ１／Ｌ２制御チャネルを所要の品質で受信できる場所に位置しているか否かを推定する。
【００３１】
具体的には、ＴＴＩ長セット判断部１０４１は、受信品質が所定の閾値以上である場合に、移動局がＬ１／Ｌ２制御チャネルを所要の品質で受信できる場所に位置していると判断し、受信品質が所定の閾値未満である場合に、移動局がＬ１／Ｌ２制御チャネルを所要の品質で受信できる場所に位置していないと判断する。
【００３２】
また、ＴＴＩ長セット判断部１０４１は、Ｌ１／Ｌ２制御チャネルの誤り数や誤り率が所定の閾値未満である場合に、移動局がＬ１／Ｌ２制御チャネルを所要の品質で受信できる場所に位置していると判断し、Ｌ１／Ｌ２制御チャネルの誤り数や誤り率が所定の閾値以上である場合に、移動局がＬ１／Ｌ２制御チャネルを所要の品質で受信できる場所に位置していないと判断するようにしてもよい。
【００３３】
その結果、ＴＴＩ長セット判断部１０４１は、移動局が、Ｌ１／Ｌ２制御チャネルを所要の品質で受信できる場所に位置している判断した場合、ＴＴＩ長セット１を用いると判断し、セル端などのＬ１／Ｌ２制御チャネルを所要の品質で受信できる場所に位置していないと判断した場合、ＴＴＩ長セット２を用いると判断する。ＴＴＩ長セット判断部１０４は、ＴＴＩ長セット１を示す情報またはＴＴＩ長セット２を示す情報をサブフレーム数決定部１０４２に入力する。
【００３４】
サブフレーム数決定部１０４２は、ＴＴＩ長セット判断部１０４１により入力されたＴＴＩ長セット１または２を示す情報に基づいて、ＴＴＩを構成するサブフレーム数を決定する。
【００３５】
例えば、サブフレーム数決定部１０４２は、ＴＴＩ長セット判断部１０４１によりＴＴＩ長セット１を示す情報が入力された場合、ＴＴＩ長のセットに予め設定された５、１０および２０からＴＴＩを構成するサブフレーム数を決定する。例えば、サブフレーム数決定部１０４２は、通信トラヒックの種別、要求されるＱｏＳに基づいて、ＴＴＩを構成するサブフレーム数を決定する。
【００３６】
具体的には、遅延に対するＱｏＳ条件に基づいて、遅延に対するＱｏＳ条件が厳しい場合にはＴＴＩを構成するサブフレーム数を少なくし、遅延に対するＱｏＳ条件が厳しくない場合には、ＴＴＩを構成するサブフレーム数を多くしＴＴＩを構成するサブフレーム数を決定する。
【００３７】
また、サブフレーム数決定部１０４２は、ＴＴＩ長セット判断部１０４１によりＴＴＩ長セット２を示す情報が入力された場合、ＴＴＩ長のセットに予め設定された１、２、３および４からＴＴＩを構成するサブフレーム数を決定する。
例えば、サブフレーム数決定部１０４２は、受信品質に基づいて、ＴＴＩを構成するサブフレーム数を決定する。具体的には、受信品質が所定の閾値以下である場合、ＴＴＩを構成するサブフレーム数を多くする。その結果、移動局は、複数のサブフレームにより送信されたＬ１／Ｌ２制御チャネルを合成することができる。基地局のカバーするエリアのカバレッジを増大させることができる。
【００３８】
ＴＴＩ長セット判断部１０４１およびサブフレーム数決定部１０４２により決定されたＴＴＩ長セットおよび１ＴＴＩを構成するサブフレーム数を示す情報は、ＲＲＣ制御部１０６、ＭＡＣ制御部１０８およびスケジューラ１１２に入力される。
【００３９】
スケジューラ１１２では、データバッファ１１０に格納されたデータを送信するために、各ユーザに対して無線リソースを割当てるスケジューリングが行われる。例えば、スケジューラ１１２は、ＴＴＩ長制御部１０４により入力されたＴＴＩ長セットおよび１ＴＴＩを構成するサブフレーム数を示す情報に基づいて、複数のサブフレームから構成されるＴＴＩを１移動局に割り当てる制御を行う。
【００４０】
ＲＲＣ制御部１０６は、例えば通信が開始された場合、上位レイヤシグナリング、例えばＲＲＣ（Ｒａｄｉｏ  Ｒｅｓｏｕｒｃｅ  Ｃｏｎｔｒｏｌ）で、ＴＴＩ長のセットを移動局に通知する。
【００４１】
また、ＲＲＣ制御部１０６は、サブフレーム数決定部１０４２により決定されたＴＴＩを構成するサブフレーム数を示す情報を、移動局に通知する。この場合、ＲＲＣ制御部１０６は、ＴＴＩ長セット判断部１０４１により決定されたＴＴＩ長のセットの種別を示す情報、すなわちＴＴＩ長セット１または２を移動局に通知するようにしてもよい。このようにすることにより、移動局は、オーバヘッドの削減を目的とするＴＴＩを構成するサブフレーム数と、カバレッジを広げることを目的とするＴＴＩを構成するサブフレーム数とが同じ値である場合に、オーバヘッドの削減を目的とするＴＴＩを構成するサブフレーム数であるのか、カバレッジを広げることを目的とするＴＴＩを構成するサブフレーム数であるのかを判断することができる。
【００４２】
また、ＭＡＣ制御部１０８は、サブフレーム数決定部１０４２により決定されたＴＴＩを構成するサブフレーム数を示す情報を、ＭＡＣ  ｃｏｎｔｒｏｌ  ＰＤＵとして、移動局に通知するようにしてもよい。このようにすることにより、ＲＲＣによるシグナリングを無くすことができる。この場合、ＭＡＣ制御部１０８は、ＴＴＩ長セット判断部１０４１により決定されたＴＴＩ長のセットの種別を示す情報、すなわちＴＴＩ長セット１または２を移動局に通知するようにしてもよい。このようにすることにより、移動局は、オーバヘッドの削減を目的とするＴＴＩを構成するサブフレーム数と、カバレッジを広げることを目的とするＴＴＩを構成するサブフレーム数とが同じ値である場合に、オーバヘッドの削減を目的とするＴＴＩを構成するサブフレーム数であるのか、カバレッジを広げることを目的とするＴＴＩを構成するサブフレーム数であるのかを判断することができる。
【００４３】
スケジューラ１１２は、共有チャネル生成部１１４に対して、共有チャネルを送信するように命令する。その結果、送信部１１６から共有チャネルが送信される。
【００４４】
次に、本実施例にかかる移動局２００について、図５を参照して説明する。
【００４５】
移動局２００は、受信部２０２と、共有チャネル復号部２０４と、ＴＴＩ長情報取得部２０６と、ＭＡＣ制御部２０８と、ＲＲＣ制御部２１０とを備える。
【００４６】
基地局１００により、上位レイヤシグナリングにより、送信されたＴＴＩ長のセットは、受信部２０２により受信され、共有チャネル復号部２０４を介してＲＲＣ制御部２１０に入力される。ＲＲＣ制御部２１０は、ＴＴＩ長情報取得部２０６に対し、ＴＴＩ長のセットを設定する。
【００４７】
また、基地局１００により、ＭＡＣ  ｃｏｎｔｒｏｌ  ＰＤＵとして、ＴＴＩ長のセットが送信された場合、該ＴＴＩ長のセットは、受信部２０２により受信され、共有チャネル復号部２０４を介してＭＡＣ制御部２１０に入力される。ＭＡＣ制御部２１０は、ＴＴＩ長情報取得部２０６に対し、ＴＴＩ長のセットを設定する。
【００４８】
基地局１００から送信されたＴＴＩを構成するサブフレーム数を示す情報は、受信部２０２により受信され、ＴＴＩ長情報取得部２０６に入力される。ＴＴＩ長情報取得部２０６は、入力されたＴＴＩを構成するサブフレーム数を示す情報と、ＴＴＩ長のセットに基づいて、オーバヘッドの削減を目的とするＴＴＩを単位として共有データチャネルが送信されるか、カバレッジを広げることを目的とするＴＴＩを単位として共有データチャネルが送信されるかを判断し、その結果と、ＴＴＩを構成するサブフレーム数を示す情報を共有データチャネル復号部２０４に入力する。
【００４９】
また、受信部２０２は、共有チャネルの受信を行い、共有チャネル復号部２０４に入力する。
【００５０】
共有チャネル復号部２０４は、入力された共有チャネルを、ＴＴＩの種別、すなわちオーバヘッドの削減を目的とするＴＴＩまたはカバレッジを広げることを目的とするＴＴＩを示す情報と、該ＴＴＩを構成するサブフレーム数に基づいて復号し、上位層に通知する。
【００５１】
次に、本実施例にかかる無線通信システムの動作について、図６を参照して説明する。
【００５２】
基地局１００は、通信が開始された場合に、上位レイヤのシグナリングにより、ＴＴＩ長のセットを移動局２００に送信する（ステップＳ６０２）。
【００５３】
移動局２００は、下りリンクの受信品質情報を例えばＣＱＩにより基地局２００に送信する（ステップＳ６０６）。また、移動局２００は、基地局１００から送信されたＬ１／Ｌ２制御チャネルの誤り数や誤り率を測定し、該Ｌ１／Ｌ２制御チャネルの誤り数や誤り率を基地局２００に送信するようにしてもよい。
【００５４】
基地局１００は、ＴＴＩ長制御部１０４において、移動局２００から送信された下りリンクの受信品質を示す情報に基づいて、オーバヘッドの削減を目的とするＴＴＩまたはカバレッジを広げることを目的とするＴＴＩを選択し、選択したＴＴＩを構成するサブフレーム数を決定する（ステップＳ６０８）。
【００５５】
また、移動局２００からＬ１／Ｌ２制御チャネルの誤り数や誤り率が送信された場合、ＴＴＩ長制御部１０４は、該Ｌ１／Ｌ２制御チャネルの誤り数や誤り率に基づいて、オーバヘッドの削減を目的とするＴＴＩまたはカバレッジを広げることを目的とするＴＴＩを選択し、選択したＴＴＩを構成するサブフレーム数を決定するようにしてもよい。
【００５６】
基地局１００は、決定されたＴＴＩ長、すなわちＴＴＩ長セット１または２と、ＴＴＩを構成するサブフレーム数、すなわちＴＴＩ長を示す情報を移動局に２００に通知する（ステップＳ６１２）。
【００５７】
移動局２００は、決定されたＴＴＩ長と、ＴＴＩを構成するサブフレーム数を示す情報を受信できた場合に、そのＡＣＫを返す（ステップＳ６１４）。
【００５８】
基地局１００は、共有データチャネルを送信する（ステップＳ６１６）。
【００５９】
移動局は、通知されたＴＴＩ長セットと、ＴＴＩ長に基づいてデータを復号する（ステップＳ６１８）。
【００６０】
上述した実施例においては、基地局装置１００から、ＴＴＩを構成するサブフレーム数と、必要に応じてＴＴＩ長のセットを示す情報とを示す情報が通知される場合について説明した。しかし、図７に示すように、ＴＴＩを構成するサブフレーム数に閾値を設け、該閾値以上である場合にはカバレッジを広げることを目的とするＴＴＩ、該閾値未満である場合にはオーバヘッドの削減を目的とするＴＴＩと予め決定し、ＴＴＩを構成するサブフレーム数を通知するようにしてもよい。このようにすることにより、ＴＴＩ長のセットを示す情報を通知することを省略することができる。
【００６１】
また、上述した実施例においては、下りリンク共有データチャネルに対するＴＴＩ長を制御する場合について説明したが、上りリンク共有データチャネルに対するＴＴＩ長を制御する場合にも適用できる。
【産業上の利用可能性】
【００６２】
本発明にかかる基地局、移動局および通信方法は、無線通信システムに適用できる。
【図面の簡単な説明】
【００６３】
【図１】Ｌ１／Ｌ２制御チャネルのオーバヘッドを削減する場合のＴＴＩを示す説明図である。
【図２】Ｌ１／Ｌ２制御チャネルのカバレッジを広げる場合のＴＴＩを示す説明図である。
【図３】本発明の一実施例にかかる基地局装置を示す部分ブロック図である。
【図４】ＴＴＩ長のセットの一例を示す説明図である。
【図５】本発明の一実施例にかかる移動局装置を示す部分ブロック図である。
【図６】本発明の一実施例にかかる移動通信システムの動作を示すフロー図である。
【図７】ＴＴＩ長のセットの他の一例を示す説明図である。
【符号の説明】
【００６４】
１００  基地局装置
２００  移動局装置
【図１】
0004698498.tif 000002
【図２】
0004698498.tif 000003
【図３】
0004698498.tif 000004
【図４】
0004698498.tif 000005
【図５】
0004698498.tif 000006
【図６】
0004698498.tif 000007
【図７】
0004698498.tif 000008